(57)【特許請求の範囲】
【請求項１】
方形状に枠組みしてなる枠体内に、上下框と左右の縦框からなる方形状の框体内にガラス体を納めてなる障子を納めたサッシにおいて、
前記框体を構成する上下框と左右の縦框は断面中空状の中空部を有すると共に、内周側に向かって開放する凹状の開口溝を内周面にそれぞれ備え、
前記ガラス体は室内側の第１ガラスと室外側の第２ガラスとからなり、
前記開口溝の底壁には前記第１ガラスと第２ガラスの間隙領域と前記中空部とを連通させる連通孔が形成されると共に、前記底壁には該連通孔を前記中空部から前記第１ガラスと第２ガラスの間隙領域に向けて延長する延長部材が取付けられ、
前記延長部材は、前記開口溝の底壁に当接して固着される固定面部と、該固定面部から垂直方向に立ち上がり前記連通孔の幅を有して対向する２つの対向面部とを有してなり、室内側の前記対向面部と前記開口溝の室内壁とで前記第１ガラスを挟持し、室外側の前記対向面部と前記開口溝の室外壁とで前記第２ガラスを挟持し、
前記ガラス体より外周側の前記中空部と前記第１ガラスと第２ガラスの間隙領域とが連続することを特徴とするサッシ。
【請求項２】
方形状に枠組みしてなる枠体内に、上下框と左右の縦框からなる方形状の框体内にガラス体を納めてなる障子を納めたサッシにおいて、
前記框体を構成する上下框と左右の縦框は、内周側に向かって開放する凹状の開口溝を内周面にそれぞれ備え、
前記開口溝に四周に渡って納められ断面中空状の中空部を有する基部材と、該基部材の内周側において前記ガラス体の外周部を四周に渡って納める凹状のガラス収納溝を有する収納部材と、該収納部材に納められる前記ガラス体とを有するガラス体ユニットを備え、
前記ガラス体ユニットに納められる前記ガラス体は、室内側の第１ガラスと室外側の第２ガラスとからなり、
前記収納部材のガラス収納溝の底壁と前記基部材には、前記第１ガラスと第２ガラスの間隙領域と前記中空部とを連通させる連通孔が形成されると共に、前記底壁には前記連通孔を前記中空部から前記第１ガラスと第２ガラスの間隙領域に向けて延長する延長部材が取付けられ、
前記延長部材は、前記ガラス収納溝の底壁に当接して固着される固定面部と、該固定面部から垂直方向に立ち上がり前記連通孔の幅を有して対向する２つの対向面部とを有してなり、室内側の前記対向面部と前記ガラス収納溝の室内壁とで前記第１ガラスを挟持し、室外側の前記対向面部と前記ガラス収納溝の室外壁とで前記第２ガラスを挟持し、
前記ガラス体より外周側の前記中空部と前記第１ガラスと第２ガラスの間隙領域とが連続することを特徴とするサッシ。
【請求項３】
前記延長部材は室内部品と室外部品の２部品からなり、該室内部品と室外部品はそれぞれ前記対向面部を有すると共に、該対向面部を対向配置してなることを特徴とする請求項１または２記載のサッシ。
【請求項４】
前記延長部材は前記固定面部と２つの対向面部を一体的に有してなり、前記２つの対向面部は連結部により連結される共に、該連結部に前記開口溝の連通孔と連通する延長部材連通孔を形成してなることを特徴とする請求項１記載のサッシ。
【発明の詳細な説明】
【技術分野】
【０００１】
本発明は、建物開口部に設けられる枠体内に障子を納めてなるサッシに関し、特に優れた遮音性能を有するサッシに関する。
【背景技術】
【０００２】
建物開口部に設けられる枠体内に障子を納めてなるサッシにおいて、遮音性能を高くしたものが知られている。遮音性能を高くしたサッシとしては、例えばサッシを室内外に２つ設けた二重サッシなどが知られている。しかし、二重サッシは、見込方向にサッシ２つ分の幅を必要とし、またコストも高いという問題がある。
【０００３】
そこで、ガラスによって遮音性能を高くする技術も知られている。例えば、特許文献２には、ガラスによって遮音性能を向上させる技術が記載されており、板ガラスと板ガラスの間に共鳴器が介装され、該共鳴器によって板ガラス間の間隔が保持された遮音ガラスが開示されている。そして、板ガラス間の間隙部と共鳴器内部の中空部とを連通する貫通孔が共鳴器に設けられていて、特に中低周波数域における遮音性能が向上されている。
【先行技術文献】
【特許文献】
【０００４】
【特許文献１】特開２００３−６３８４４号公報
【発明の概要】
【発明が解決しようとする課題】
【０００５】
しかし、遮音ガラスはガラスによって遮音性能を得るものであるため、共鳴器を板ガラスの間に介装しなければならず、共鳴器の形状や大きさが制限される。さらに、共鳴器またはスペーサー部材が、板ガラスの間に介装されているため、共鳴器やスペーサー部材が遮音ガラスから露出して外部から見えやすいという意匠上の問題もあった。さらにまた、板ガラス間に共鳴器を備えなければならないので、ガラス自体が重量化するとともに、高価となる場合があった。
【０００６】
本発明は前記課題を鑑みてなされたものであり、簡易な構成で遮音性を持たせることができ、意匠性も高いサッシを提供することを目的とする。
【課題を解決するための手段】
【０００７】
前記課題を解決するため、本発明に係るサッシは、方形状に枠組みしてなる枠体内に、上下框と左右の縦框からなる方形状の框体内にガラス体を納めてなる障子を納めたサッシにおいて、
前記框体を構成する上下框と左右の縦框は断面中空状の中空部を有すると共に、内周側に向かって開放する凹状の開口溝を内周面にそれぞれ備え、
前記ガラス体は室内側の第１ガラスと室外側の第２ガラスとからなり、
前記開口溝の底壁には前記第１ガラスと第２ガラスの間隙領域と前記中空部とを連通させる連通孔が形成されると共に、前記底壁には該連通孔を前記中空部から前記第１ガラスと第２ガラスの間隙領域に向けて延長する延長部材が取付けられ、
前記延長部材は、前記開口溝の底壁に当接して固着される固定面部と、該固定面部から垂直方向に立ち上がり前記連通孔の幅を有して対向する２つの対向面部とを有してなり、室内側の前記対向面部と前記開口溝の室内壁とで前記第１ガラスを挟持し、室外側の前記対向面部と前記開口溝の室外壁とで前記第２ガラスを挟持し、
前記ガラス体より外周側の前記中空部と前記第１ガラスと第２ガラスの間隙領域とが連続することを特徴として構成されている。
【０００８】
また、本発明に係るサッシは、方形状に枠組みしてなる枠体内に、上下框と左右の縦框からなる方形状の框体内にガラス体を納めてなる障子を納めたサッシにおいて、
前記框体を構成する上下框と左右の縦框は、内周側に向かって開放する凹状の開口溝を内周面にそれぞれ備え、
前記開口溝に四周に渡って納められ断面中空状の中空部を有する基部材と、該基部材の内周側において前記ガラス体の外周部を四周に渡って納める凹状のガラス収納溝を有する収納部材と、該収納部材に納められる前記ガラス体とを有するガラス体ユニットを備え、
前記ガラス体ユニットに納められる前記ガラス体は、室内側の第１ガラスと室外側の第２ガラスとからなり、
前記収納部材のガラス収納溝の底壁と前記基部材には、前記第１ガラスと第２ガラスの間隙領域と前記中空部とを連通させる連通孔が形成されると共に、前記底壁には前記連通孔を前記中空部から前記第１ガラスと第２ガラスの間隙領域に向けて延長する延長部材が取付けられ、
前記延長部材は、前記ガラス収納溝の底壁に当接して固着される固定面部と、該固定面部から垂直方向に立ち上がり前記連通孔の幅を有して対向する２つの対向面部とを有してなり、室内側の前記対向面部と前記ガラス収納溝の室内壁とで前記第１ガラスを挟持し、室外側の前記対向面部と前記ガラス収納溝の室外壁とで前記第２ガラスを挟持し、
前記ガラス体より外周側の前記中空部と前記第１ガラスと第２ガラスの間隙領域とが連続することを特徴として構成されている。
【０００９】
さらに、本発明に係るサッシは、前記延長部材は室内部品と室外部品の２部品からなり、該室内部品と室外部品はそれぞれ前記対向面部を有すると共に、該対向面部を対向配置してなることを特徴として構成されている。
【００１０】
さらにまた、本発明に係るサッシは、前記延長部材は前記固定面部と２つの対向面部を一体的に有してなり、前記２つの対向面部は連結部により連結される共に、該連結部に前記開口溝の連通孔と連通する延長部材連通孔を形成してなることを特徴として構成されている。
【発明の効果】
【００１１】
本発明に係るサッシによれば、開口溝の底壁に連通孔が形成され、底壁には延長部材が取付けられ、延長部材は、開口溝の底壁に固着される固定面部と、固定面部から垂直方向に立ち上がり連通孔の幅を有して対向する２つの対向面部とを有し、室内側の対向面部と開口溝の室内壁とで第１ガラスを挟持し、室外側の対向面部と開口溝の室外壁とで第２ガラスを挟持することにより、框体の中空部を共鳴器の構成要素として用い、また延長部材でガラス体の保持もなすこととなるので、共鳴器の構成要素を露出させず意匠性に配慮しつつ、簡易に共鳴器を構成できるので、簡易な構成で遮音性を持たせることができ、意匠性も高いサッシとすることができる。
【００１２】
また、本発明に係るサッシによれば、基部材と収納部材及びガラス体からなるガラス体ユニットを備え、ガラス収納溝の底壁と基部材に連通孔が形成され、底壁には延長部材が取付けられ、延長部材は、ガラス収納溝の底壁に固着される固定面部と、固定面部から垂直方向に立ち上がり連通孔の幅を有して対向する２つの対向面部とを有し、室内側の対向面部とガラス収納溝の室内壁とで第１ガラスを挟持し、室外側の対向面部とガラス収納溝の室外壁とで第２ガラスを挟持することにより、意匠性が高くしつつ簡易な構成で遮音性を持たせると共に、既存のサッシのガラス体をガラス体ユニットに交換することで、容易に遮音機能を追加することができる。
【００１３】
さらに、本発明に係るサッシによれば、延長部材は室内部品と室外部品の２部品からなり、室内部品と室外部品はそれぞれ対向面部を有すると共に、対向面部を対向配置してなる、または延長部材は固定面部と２つの対向面部を一体的に有してなり、２つの対向面部は連結部により連結される共に、連結部に開口溝の連通孔と連通する延長部材連通孔を形成してなることにより、簡易な構成の延長部材により共鳴器を構成し、かつガラス体の保持もなすことができる。
【図面の簡単な説明】
【００１４】
【図１】第１の実施形態におけるサッシの縦断面図である。
【図２】第１の実施形態におけるサッシの横断面図である。
【図３】図１の上枠付近拡大図である。
【図４】図１の下枠付近拡大図である。
【図５】図２の縦枠付近拡大図である。
【図６】図２の召合わせ框付近拡大図である。
【図７】第２の実施形態におけるサッシの縦断面図である。
【図８】第２の実施形態におけるサッシの横断面図である。
【図９】図７の上枠付近拡大図である。
【図１０】図７の下枠付近拡大図である。
【図１１】図８の縦枠付近拡大図である。
【図１２】図８の召合わせ框付近拡大図である。
【発明を実施するための形態】
【００１５】
本発明の実施形態について図面に沿って詳細に説明する。図１には本発明の第１の実施形態におけるサッシの縦断面図を、図２には本発明の第１の実施形態におけるサッシの横断面図を、それぞれ示している。これら各図に示すように、第１の実施形態のサッシは、上枠１０と下枠１１及び左右の縦枠１２、１２を方形状に枠組みしてなる枠体１内に、内障子２と外障子３を引き違い状に納めてなる引き違いサッシである。
【００１６】
内障子２と外障子３は、それぞれ上框２０と下框２１及び左右の縦框２２ａ、２２ｂを方形状に框組みしてなる框体４内にガラス体５を納めて構成されている。框体４を構成する縦框２２ａ、２２ｂは、縦枠１２側に配置される枠側縦框２２ａと、内障子２と外障子３の召合わせ側に配置される召合わせ框２２ｂとからなっている。
【００１７】
框体４を構成する上框２０と下框２１、枠側縦框２２ａと召合わせ框２２ｂは、いずれも断面中空状の中空部２３を有している。また、中空部２３の内周側には、ガラス体５の外周部を保持するための開口溝２４が、内周側に向かって開放する凹状にそれぞれ形成されている。開口溝２４は、底壁２４ａと室内壁２４ｂ及び室外壁２４ｃからなっている。
【００１８】
開口溝２４に外周部が保持されるガラス体５は、室内側の第１ガラス５ａと室外側の第２ガラス５ｂとが、対向配置されて構成されている。第１ガラス５ａと第２ガラス５ｂは、それぞれ単板ガラスからなり、これらの間の領域は、空間状の間隙領域５ｃとなっている。
【００１９】
第１ガラス５ａと第２ガラス５ｂの種類は特に限定されるものではなく、一般的なシリカガラスの他、強化ガラス，合わせガラス，網入りガラス，線入りガラス等を使用することができる。また、ポリカーボネート，アクリル樹脂等の樹脂製板ガラスも使用可能である。さらに、第１ガラス５ａと第２ガラス５ｂの厚さも特に限定されるものではない。
【００２０】
開口溝２４の底壁２４ａには、間隙領域５ｃと共鳴器として機能する中空部２３とを連通する連通孔２８が、長手方向に沿う長孔状に形成されている。また、底壁２４ａには、連通孔２８を中空部２３から間隙領域５ｃに向けて延長する延長部材２９が取付けられる。
【００２１】
図３には図１の上枠１０付近拡大図を、図４には図１の下枠１１付近拡大図を、図５には図２の縦枠１２付近拡大図を、図６には図２の召合わせ框２２ｂ付近拡大図を、それぞれ示している。上框２０と下框２１に取付けられる延長部材２９は、室内側の第１部品２９ａと室外側の第２部品２９ｂからなり、それぞれ底壁２４ａに当接して固定される固定面部２９ｃと、固定面部２９ｃから垂直方向に立ち上がる対向面部２９ｄとで、断面略Ｌ字状をなすように形成されており、第１部品２９ａの対向面部２９ｄと第２部品２９ｂの対向面部２９ｄとが、連通孔２８の幅を有して対向配置されるように底壁２４ａに取付けられている。
【００２２】
縦框２２に取付けられる延長部材２９は、１部品からなり、底壁２４ａに当接して固定される固定面部２９ｃと、固定面部２９ｃから垂直方向に立ち上がる２つの対向面部２９ｄを有している。また、２つの対向面部２９ｄ間は、連結部２９ｅにより連結されている。
【００２３】
本実施形態においては、縦框２２のうち召合わせ框２２ｂについては、底壁２４ａに連通孔２８を設けている。召合わせ框２２ｂに取付けられる延長部材２９には、連結部２９ｅに連通孔２８と連通する延長部材連通孔２９ｆが形成されている。なお、枠側縦框２２ａには連通孔２８を設けていないが、延長部材２９はガラス体５を支持する機能も有するため、枠側縦框２２ａにも召合わせ框２２ｂと同様の延長部材２９が取付けられている。
【００２４】
このような延長部材２９により、上框２０と下框２１及び召合わせ框２２ｂにおいては、連通孔２８と略同一断面形状の空間が連通孔２８に連続して形成され、このスリット状の空間により、連通孔２８が中空部２３から間隙領域５ｃに向けて延長されている。
【００２５】
開口溝２４を構成する室内壁２４ｂと第１ガラス５ａの室内面の間には、気密材２６が設けられ、また開口溝２４を構成する室外壁２４ｃと第２ガラス５ｂの室外面の間にも、気密材２６が設けられる。また、延長部材２９の対向面部２９ｄと第１ガラス５ａの室外面の間、及び延長部材２９の対向面部２９ｄと第２ガラス５ｂの室内面の間にも、それぞれ気密材２６が設けられる。これらによって、ガラス体５は、第１ガラス５ａと第２ガラス５ｂの間に延長部材２９を挟みつつ、外周部が框体２３の開口溝２４に挟持固定される。
【００２６】
また、ガラス体５を構成する第１ガラス５ａと第２ガラス５ｂは、いずれも外周面と下框２１の開口溝２４の底壁２４ａとの間にセッティングブロック２７が設けられ、このセッティングブロック２７上に載置されることで、框体４内において所定位置に配置される。
【００２７】
前述のように、框体４の中空部２３と間隙領域５ｃとが連通孔２８及び延長部材２９により連通されている。これにより、連通孔２８の内部及びその近傍部分の空気が、特定の周波数で強く振動し、連通孔２８の内壁面と空気との摩擦によって、音響エネルギーが熱エネルギーに変換され、摩擦熱として消費されるため、吸音作用が生じて騒音が吸音される。このとき、連通孔２８の幅や延長部材２９の寸法及び中空部２３の容積は、共鳴周波数が所望の値となるように設定すればよい。
【００２８】
連通孔２８は、その幅によって共鳴周波数が異なるため、例えば、特定周波数域を遮音するのに特化したサッシとすることもできる。また、框体４の各辺において、連通孔２８の幅に多様性を持たせることにより、幅広い周波数域に対して遮音性能が優れるサッシとすることもできる。このように、連通孔２８の幅や設置形態を変更することにより、バリエーションに富んだサッシを得ることが可能である。
【００２９】
また、延長部材２９による連通孔２８の延長方向の長さ（以降は首部長さと記す）によっても、共鳴周波数が異なる。首部長さが長いほど共鳴周波数は低くなり、短いほど共鳴周波数は高くなる。このように、首部長さを調節することで、共鳴周波数を変えることができるため、用途に応じたサッシを得ることが可能である。
【００３０】
以下に、框体４の構造と共鳴周波数（ｆ0）との相関式を示す。本発明における共
鳴器は、ヘルムホルツ共鳴器を応用した構造であるため、共鳴器の共鳴周波数（ｆ0）は
、サッシの構造により可変的である。共鳴周波数（ｆ0）は、下記相関式を用いて、下
記の各ファクターにより算出され、相関式から算出される共鳴周波数（ｆ0）付近におい
て高い吸音性能が得られる。
【００３１】
【数１】
0005388920.tif 000002
【００３２】
ｂ：連通孔の幅
Ｂ：中空部の空気層の幅（左右方向の長さ）
Ｌ：中空部の空気層の厚さ（上下方向の長さ）
Ａ：中空部の断面積（＝Ｂ×Ｌ）
ｔ：首部長さ
ｐ：開口率（ｂ／Ｂ）
ｔ’：開口端補正
Ｃ：空気中の音速
ｆ0：共鳴周波数
【００３３】
なお、開口端補正ｔ’は、首部長さを補正するためのパラメータである。前述したように、前記スリット空間内の空気が振動するが、実際にはスリット空間の上端の若干上方及
び下端の若干下方の空気も振動しており、吸音に寄与している。よって、共鳴周波数を算出する際には、この部分を補正する必要があるため、首部長さｔを開口端補正ｔ’で補正している。
【００３４】
上框２０と召合わせ框２２ｂの各中空部２３には、連通孔２８付近に該連通孔２８の開口を跨ぐように吸音材２３ａが設けられている。吸音材２３ａにより、振動する空気の音響エネルギーから熱エネルギーへの変換が促進されるため、窓サッシの遮音性能をさらに向上させることができる。吸音材２３ａの種類は特に限定されるものではないが、グラスウール，ロックウール等の繊維材が好ましい。また、アルミニウム繊維，アルミニウム切削屑，アルミニウム焼結体等のアルミニウム製吸音材が好ましい。アルミニウム製吸音材は、吸湿しないため劣化が起こりにくい上、リサイクル性に優れている。
【００３５】
このように、框体４の中空部２３を共鳴器の構成要素として用い、また延長部材２９を開口溝２４の底壁２４ａに固着して、連通孔２８を第１ガラス５ａと第２ガラス５ｂの間隙領域５ｃに連通させるようにすると共に、延長部材２９でガラス体５の保持もなすことにより、共鳴器の構成要素を露出させず意匠性に配慮しつつ、簡易に共鳴器を構成できるので、簡易な構成で遮音性を持たせることができ、意匠性も高いサッシとすることができる。
【００３６】
次に、本発明の第２の実施形態について説明する。図７には本発明の第２の実施形態におけるサッシの縦断面図を、図８には本発明の第２の実施形態におけるサッシの横断面図を、それぞれ示している。第２の実施形態のサッシは、第１の実施形態のサッシと基本的な構成においては共通するので、共通する構成についての説明は省略する。
【００３７】
本実施形態では、ガラス体５は框体４に直接納められているのではなく、框体４内にガラス体５を有するガラス体ユニット６を納めて、障子が構成されている。ガラス体ユニット６は、框体４の開口溝２４に四周に渡って納められる断面中空状の中空部３１を有する基部材３０と、基部材３０の内周側に取付けられ、ガラス体５の外周部を四周に渡って納める凹状のガラス収納溝３４を有する収納部材３３と、第１ガラス５ａ及び第２ガラス５ｂからなるガラス体５とで構成されている。
【００３８】
基部材３０は、断面略方形の中空状に形成されており、その見込方向幅は框体４の開口溝２４の幅に適合し、また見付方向幅は框体４の開口溝２４に略納まるように形成されている。これにより、ガラス体ユニット６は、セッティングブロック２７を介して框体４の開口溝２４に納められ、第１の実施形態のガラス体５の代わりに框体４に保持させることができる。
【００３９】
ガラス体ユニット６を構成する収納部材３３は、ガラス収納溝３４が框体４の開口溝２４と略同断面を有する凹状に形成されている。これにより、ガラス体５を第１の実施形態と同様の構造で保持することができる。
【００４０】
図９には図７の上枠１０付近拡大図を、図１０には図７の下枠１１付近拡大図を、図１１には図８の縦枠１２付近拡大図を、図１２には図８の召合わせ框２２ｂ付近拡大図を、それぞれ示している。ガラス体ユニット６は、基部材３０の中空部３１を共鳴器を構成する中空部とし、基部材３０の上面と収納部材３３の底壁３４ａには、中空部３１と連通する連通孔３５が形成されている。また、収納部材３３の底壁３４ａには、第１の実施形態と同様の延長部材２９が固着される。
【００４１】
上下辺の延長部材２９は、第１の実施形態と同じ構成を有し、連通孔３５を第１ガラス５ａと第２ガラス５ｂの間の間隙領域５ｃに連通させている。縦辺については、図４に示すように、枠側縦框２２ａと召合わせ框２２ｂのいずれについても連通孔３５が形成されており、それぞれに設けられた基部材３０の中空部３１と間隙領域５ｃとが、延長部材２９によって連通されている。
【００４２】
ガラス体５を構成する第１ガラス５ａは、ガラス収納溝３４の室内壁３４ｂと延長部材２９を構成する第１部品２９ａの対向面部２９ｄとで、外周部が挟持されている。また、ガラス体５を構成する第２ガラス５ｂは、ガラス収納溝３４の室外壁３４ｃと延長部材２９を構成する第２部品２９ｂの対向面部２９ｄとで、外周部が挟持されている。
【００４３】
このように、共鳴器の構成を有したガラス体ユニット６を、框体４の開口溝２４に納めて保持することによっても、サッシに簡易な構成で遮音性を持たせることができる。また、共鳴器の構成自体は第１の実施形態と同様であり、意匠性も高い遮音サッシとすることができる。
【００４４】
第１の実施形態の構成は、框体４を共鳴器の構成要素とするものであり、障子を新規に形成する場合に適している。一方、第２の実施形態の構成は、ガラス体ユニット６に共鳴器の構成要素を設けたものであり、既存の障子に対し、ガラス体５のみを取り外してガラス体ユニット６を代わりに取付けることにより、既存のサッシに遮音性を持たせる場合に適している。
【００４５】
以上、本発明の実施形態について説明したが、本発明の適用は本実施形態には限られず、その技術的思想の範囲内において様々に適用されうるものである。
【符号の説明】
【００４６】
１    枠体
２    内障子
３    外障子
４    框体
５    ガラス体
６    ガラス体ユニット
１０    上枠
１１    下枠
１２    縦枠
２０    上框
２１    下框
２２ａ  縦框（枠側縦框）
２２ｂ  縦框（召合わせ框）
２３    中空部
２３ａ  吸音材
２４    開口溝
２４ａ  底壁
２４ｂ  室内壁
２４ｃ  室外壁
２６    気密材
２７    セッティングブロック
２８    連通孔
２９    延長部材
２９ａ  第１部品
２９ｂ  第２部品
２９ｃ  固定面部
２９ｄ  対向面部
２９ｅ  連結部
２９ｆ  延長部材連通孔
３０    基部材
３１    中空部
３３    収納部材
３４    ガラス収納溝
３４ａ  底壁
３４ｂ  室内壁
３４ｃ  室外壁
３５    連通孔
【図１】
0005388920.tif 000003
【図２】
0005388920.tif 000004
【図３】
0005388920.tif 000005
【図４】
0005388920.tif 000006
【図５】
0005388920.tif 000007
【図６】
0005388920.tif 000008
【図７】
0005388920.tif 000009
【図８】
0005388920.tif 000010
【図９】
0005388920.tif 000011
【図１０】
0005388920.tif 000012
【図１１】
0005388920.tif 000013
【図１２】
0005388920.tif 000014